(57)【特許請求の範囲】
【請求項１】
筐体の側壁内の前端部近傍に固定され且つ先端部が側壁内側に露出する第１蝶番の先端部に、第１アームと該第１アームよりも長寸で先端に水平前方側に向く曲折部を有する第２アームとを各々の基端を離隔してそれぞれ水平回動可能に支持し、第１アームと第２アームの基端側とをほぼ平行にして第１アームの先端と第２アームの中間部とに対し、先端に前記第１蝶番固定側壁の側に向く水平曲折部を有する第３アームの基端と中間部とをそれぞれ回転可能に連結して、第１蝶番を固定辺とする四辺形の前方に第２，第３アームの先端部が突出して前後動するリンク機構を形成する一方、扉の内側に水平の端面を有する第２蝶番を固定し、該第２蝶番の水平の端面には、扉の前面側にそれぞれ中心を有し互いに連続する２個の円弧溝からなる略３字状のカム溝と、該カム溝の扉の外側端寄りの前方に垂直の軸穴とを形成し、前記カム溝に第２アームの先端を係合させ且つ前記軸穴に第３アームの先端を回動可能に軸支持させてなる、家具等の扉の蝶番機構。
【請求項２】
前記第２蝶番が、ほぼ矩形の板状部材の上下方向中間に、一方の側端から他方の側端近傍に向けてほぼ矩形の切欠を設け、該切欠の上下端縁には、前記第２アーム先端の上下側面にそれぞれ接する水平面と、該水平面に形成され板状部材の表面側に向く略３字状の前記カム溝と、前記切欠の開口端寄りの前記カム溝の前方に前記第３アーム先端の上下側端にそれぞれ接し且つ第３アーム先端を軸支持する垂直の軸穴を有する軸支持部とを備えてなり、該第２蝶番を前記切欠が扉の外側端に形成した開口窓に露出するように扉の前板と裏面との間に固定してなる、請求項１に記載の家具等の扉の蝶番機構。
【請求項３】
前記第１蝶番には、中間部に側板と直交方向のネジ孔を設けるとともに、該第１蝶番の前後と上下の移動を規制する保持部を備え且つ前記ネジ孔に螺合する調整ネジを回転可能且つ軸方向移動を規制するように係止した蝶番取付部材を筐体の側壁内の前端部近傍に取り付け、該蝶番取付部材の前記保持部にて前記第１蝶番の基端部を保持し、且つ前記調整ネジを回転させて第１蝶番の先端部を水平左右方向に限定的に変位調整可能にしてなる、請求項１または２に記載の家具等の扉の蝶番機構。
【請求項４】
筐体の側壁は、内壁面を段状に拡幅した段部を前端に設け、第１蝶番は、基端側を前記段部の奧の側壁内に収納して先端部が該段部の奧端から前方に突き出る様にして側壁内に固定し、前記第１蝶番の先端部と第２蝶番とを前記第１，第２，第３アームを介し連結し、第２蝶番を固定した扉が閉じた際に該扉が前記段部内に収まる関係に設定してなる、請求項１から３のいずれかに記載の家具等の扉の蝶番機構。
【発明の詳細な説明】
【０００１】
【発明の属する技術分野】
本発明は、家具等の扉の蝶番機構の技術に係わり、更に詳しくは、扉を閉めた状態では扉の前面が該扉を取り付けた筐体の左右側壁の前端とほぼ一致し、扉を前方に９０°開いた状態では扉の内面が前記側壁の内側面と一致するかまたはそれよりも外側に位置し、且つ、その状態から扉を更に外方に９０°開くことが可能な蝶番機構およびその調整機構に関するものである。
【０００２】
【従来の技術】
扉の蝶番機構に関し、扉を閉めた状態では扉の側端が該扉を取り付けた筐体の左右側壁の側面と一致し、扉を前方に９０°開いた状態では扉の内面が前記側壁の内側面よりも外側に位置し、且つその状態から扉を更に外方に９０°開く（つまり扉を閉めた状態から１８０°開く）ことを可能にする機能を備えた家具等における扉の蝶番の先行技術文献が知られている（例えば、特許文献１参照。）。
【０００３】
上記先行技術文献に示された蝶番は、筐体の側壁に固定する第１蝶番に取り付けたアーム部材で形成した第１段目の略平行四辺形のリンク機構の先端に、更に第２段目の四辺形のリンク機構を連結し、更にこの第２段目の四辺形のリンク機構の先端に扉に取り付ける第２蝶番とカム機構とを備えて、扉を前方に押し出しつつ回動させる機構を構成している。従ってこの先行技術文献に示された蝶番機構は、多数の部品で構成された複雑な機構からなり、製作コストが高く且つ組立にも多くの時間を要する。また、２段の四辺形のリンク機構を介して順次部材を連結する構成のため、リンク部材や連結ピンの製作誤差が順次累積されて全体の誤差が大きくなり、また個々の連結部の隙間が累積されて全体のガタが大きくなり、扉を取り付けた際に扉が傾いたり、左右の扉のめし合わせ部に干渉や傾斜や隙間発生して大きな狂いが生じたり美観を損ねたり円滑な操作に支障が生じたりする原因となるのみならず、長期間の使用で各部品の連結部が磨耗してガタが大きくなるなどの不具合がある。この場合、扉取付時の調整や長期使用に伴う建て付けの狂いの修正には、予め修正量を計測しておき、扉を外して第１蝶番または第２蝶番の取付位置を上記計測結果に基づき正確に調整してから扉を取り付けるといった手順となる。この作業は熟練者によらなければならなず、また、場合によっては新たな場所に取付穴を設けて取り付けることも必要となり、扉や筐体に傷が生じて見苦しくなる場合もある。更に、この先行技術文献に示された蝶番機構は、扉開を開く際に扉が前方へ押し出されて筐体側壁の前端との間に大きな隙間が生じ、この隙間に手や物が挟まる危険もある。
【０００４】
【特許文献１】
特開２０００−１２０３１８号公報（第１頁、図１〜図５）
【０００５】
【発明が解決しようとする課題】
前述の状況に鑑み本発明が解決しようとするところは、家具等の扉の蝶番機構において、扉を閉めた状態では扉の前面が該扉を取り付けた筐体の左右側壁の前端とほぼ一致し、扉を前方に９０°開いた状態では扉の内面が前記筐体側壁の内側面と一致するかまたはそれよりも外側に位置し、且つ、その状態から扉を更に外方に９０°開くことが可能な機能を備え、且つ、その機能を製作および取り付けが容易な少ない部材構成で実現させて低価格で提供できるとともに、製作誤差やガタツキが少なく且つ狂いが起こりにくい機構にすることにある。そして本発明が解決しようとする他の課題は、上記の機能を備え、且つ、扉を取り付ける際の調整および長期使用で建て付けに狂いが生じた際の修正が扉を取り付けた状態で簡単に行える調整機構付きの蝶番機構を提供すること、更に、扉を開いた際に扉の側端と筐体の側壁前端との間に必要以上の余分の隙間を生じさせない取付構造を提供することにある。
【０００６】
なお、本明細書において、筐体の側壁とは内部に空間を有し前面が開口する略直方体の筐体の左右側壁またはそのいずれか一方の扉取付側の側壁を指し、前方とは筐体の奧から開口端に向かう方向およびその延長方向を指し、側壁内面とは側壁の筐体内部空間に面する面、側壁外側面とは前記側壁の内壁面と反対側の面をそれぞれ指す。また、扉の外側端とは、扉の蝶番機構を介し前記筐体側壁に取り付ける側の扉の端縁を指し、扉の内面とは扉の筐体内部空間に対面する面を指す。そして、外方とは扉の中心から前記の扉の外側端に向かう方向およびその延長方向を指す。
【０００７】
【課題を解決するための手段】
前述の課題解決のため、本発明では、家具等の扉の蝶番機構を、筐体の側壁前端近傍に固定した第１蝶番の先端部に、第１アームおよび該第１アームよりも長く且つ先端が水平前方（即ち扉側）にけて曲折する第２アームの基端をそれぞれ水平回動可能に支持し、該第１アーム先端と第２アームの中間とに、先端が水平外方（即ち第１蝶番固定側壁の側）に向けて曲折する第３アームの基端側をそれぞれ回転可能に連結して、第１蝶番を固定辺とする四辺形の前方に第２，第３アームの先端部が突出して前後動するリンク機構を形成する一方、扉の内側に水平の端面を有する第２蝶番を固定し、該第２蝶番の水平の端面に２個の連続する円弧溝からなる扉前方に向く略３字状のカム溝と、該カム溝の扉の外側端側の前方に垂直の軸穴とを形成し、第２アームの曲折部先端をカム溝に係合させ、且つ、第３アームの曲折部先端を軸穴に回転可能に軸支持させて構成する。この構成により、扉を開くにつれて第２アームがカム溝に案内されて引かれて前方且つ外方に回動するため第３アーム先端の扉の支軸が前方且つ外方に向け移動し、扉の外側端が筐体側壁の前端部から外側斜め前方に向けて押し出され、９０°まで開いた状態では扉の内面を筐体側壁の内側面とほぼ等しいかそれよりも外側に位置させることができ、更にその状態から９０°扉を外側に開くことができる。
【０００８】
上記において、第２蝶番を、ほぼ矩形の板状部材の上下方向中間に、一方の側面から他方の側面近傍に向けてほぼ矩形の切欠を設け、該切欠の上下端縁には、前記第２アーム先端の上下側面にそれぞれ接する水平面と、該水平面に形成され板状部材の表面側に向く略３字状の前記カム溝と、前記切欠の開口端寄りの前記カム溝の前方に前記第３アーム先端の上下側端にそれぞれ接し且つ第３アーム先端を軸支持する垂直の軸穴を有する軸支持部とを備えた一体構造の部材で形成すると、扉への取り付けが簡単にでき、複雑な構造を有する第２蝶番を樹脂材で成型したり精密鋳造などで簡単に製作でき、精度のバラツキが解消できる。この第２蝶番は、外周が矩形のため切欠が扉の外側端の開口窓に露出するようにして扉の前板と裏側折り返し部との間に挟持させ安定的に固定できる。
【０００９】
一方、第１蝶番は、基端部を筐体側壁内にて前後と上下方向を拘束して保持するとともに中間に調整ネジを螺合させ、該調整ネジの回転で側板と直交方向に第１蝶番の先端位置を調整可能に構成すると都合がよい。これにより、上記の作用効果に加え、扉の取り付け調整や狂いの修正が扉を取り付けた状態で調整ネジの回転操作だけで行えるようになる。
【００１０】
また、筐体の側壁は、内壁面を段状に拡幅した段部を前端に設け、第１蝶番は、基端側を前記段部の奧の側壁内に収納して先端部が該段部の奧端から前方に突き出る様にして側壁内に固定し、前記第１蝶番の先端部と第２蝶番とを前記第１，第２，第３アームを介し連結し、第２蝶番を固定した扉が閉じた際に該扉が前記段部内に収まる関係に設定すると好都合である。これにより、扉の開閉時に扉の側端と筐体側壁の前端部との間に必要以上の余分な隙間が生じなくなる。
【００１１】
【発明の実施の形態】
つぎに本発明の実施の形態を添付図面に基づき詳細に説明するが、本発明は、添付図面に示された形態に限定されず特許請求の範囲に記載の要件を満たす実施形態の全てを含むものであり、添付の図面は収納庫の扉の蝶番機構を例示するが、本発明の扉の蝶番機構は収納庫に限らず家具類の扉に適用する。図１は、本発明に係る蝶番機構を取り付ける収納庫の外観を示す。図２は、本発明に係る蝶番機構を収納庫に取り付けた状態を中央で水平断面にした図で、（ａ）は扉が閉じ状態、（ｂ）は扉がやや開いた状態をそれぞれ示す。図３は、この蝶番機構を、扉開度に応じ各アームの動きの変化を示す状態図で、（ａ）は扉開度４５°、（ｂ）は扉開度９０°、（ｃ）は２点鎖線が扉開度１３５°、実線が扉開度１８０°における状態をそれぞれ示している。図４は、この蝶番機構を、扉開度９０°にて筐体の内方から外側方に向いて見た状態を示す正面図である。そして図５には、この蝶番機構の各構成部材を展開して示している。
【００１２】
本発明に係る蝶番機構は、収納庫および一般の家具において、扉が９０°まで開いた状態では、扉の内面を扉支持枠（例えば図示の収納庫１では筐体２の側壁３）の内側面とほぼ等しいかそれよりも外方に位置するように扉を移動させ、物の出し入れの邪魔にならないよう広く開口させ、且つ、その状態から更に９０°扉を外側に開くことを可能にするとともに、扉を閉じた際には、蝶番機構のアームが折りたたまれて邪魔にならないようにするといった機能が要求される場合に用いる。
【００１３】
図において、左右側壁３，３と天板と底板と後壁とを有し前面が開口する直方体の筐体２と、筐体２の開口を閉鎖する揺動開閉式の扉５とを有してなる収納庫１において、蝶番機構６は、扉５の外側端と筐体２の側壁３とを連結して扉５を開閉可能にしている。図示の筐体２の側壁３は、外板３ａと内板３ｂとを離隔して垂直に対峙させた適宜の厚さを有する壁部材で、内部は空所となっている。そして側壁３の前端３ｃに連なる開口端縁内側には、開口幅を拡幅する方向に段部４が形成され、この段部４は扉４の厚さよりも深い奥行きを有し且つ段部４の奧端には、蝶番部材６取付箇所に第１蝶番７（後述）の基端部を挿入する装着穴４ａを設けている。一方、扉５は、矩形の垂直平面からなる前板５ａと、前板５ａの周囲を筐体２側に直角に折り曲げた側端部と、その側端部を前板５ａから適宜離隔した位置で更に前板５ａと平行に扉中心方向に折り曲げた折り返し部５ｃとを有するパネル状構造をなし、蝶番機構６の取付側の側端５ｂの上下端近傍、即ち蝶番機構６の第２蝶番１８の切欠１９（いずれも後述）が位置する箇所には、折り返し部５ｃから側端５ｂにかけて切り欠いた開口窓５ｅ，５ｅをそれぞれ設けている。そして、扉５は、筐体２の前記段部４に側端５ｂを接するようにして上下１対の蝶番機構６，６を介し筐体２の側壁３に回動可能に支持されている。
【００１４】
蝶番機構６は、筐体２の側壁３の段部４に設けた装着穴４ａに先端が露出するように基部を装着して側壁３の内板３ｂに支持固定された第１蝶番７と、扉５の側端５ｂの前記開口窓５ｅの位置に側面を接して扉５の上下コーナー折り返し部５ｃに挟持固定された第２蝶番１８とを有し、且つ、第１蝶番７の先端部にそれぞれ水平回動可能に支持された第１アーム１１および第１アームより長く且つ先端に前方に水平曲折する曲折部１２ｄを有する第２アーム１２と、該第１アーム先端と第２アーム中間に基端側をそれぞれ回転可能に連結し且つ先端に筐体２の側板３側に水平曲折する曲折部１３ｄを有する第３アーム１３とにより四辺形の先端に第２アームと第３アームの先端が突出して第３アームが前後動可能にしてなるリンク機構とを有してなる。そして、第２蝶番１８の側端部近傍が前記リンク機構の第３アーム１３の先端に支軸１７で回転可能に支持され、且つ、第２アーム１２の先端は第２蝶番１８の上下１対の水平面１９ａ，１９ａに形成された略３字状のカム溝２０に係合しカム溝２０に案内されて前後に回動するように構成している。
【００１５】
つぎに、上記構成からなる蝶番機構６の詳細構造について説明する。まず、第１蝶番７について説明する。第１蝶番７は、内方が開口する略コ字状の水平溝型部材の上下対向壁部の先端側に第１アーム１１と第２アーム１２の基端部をそれぞれ連結する連結ピン１４，１４を装着するピン穴７ｃ，７ｃおよび中間に調整ネジ１０が螺合する調整ネジ孔７ｅを設けた第１蝶番本体７ｂと、第１蝶番本体７ｂの前記溝部に嵌合するコ字状の溝型部材の後端に第１蝶番本体７ｂの後端保持用の保持爪８ａ，８ａと先端に調整ネジ１０を回転可能に係止するＵ字状切欠８ｃとを有する保持部材８と、一端に前記Ｕ字状切欠８ｃに係合する環状係止溝１０ａおよび他端に適宜の長さに亘り形成された前記調整ネジ穴７ｅに螺合するネジ部を設けた調整ネジ１０とを有してなる。また、保持部材８には溝底部に取付用ネジ孔８ｄ，８ｄが設けられ且つ溝の両側壁の開口端に係止爪８ｂ，８ｂが突設される一方、第１蝶番本体８ａの溝底部には係止溝８ｂ，８ｂに係合する爪穴７ｄが形成されている。従って、保持部材８の溝部を第１蝶番本体７ｂの基端側溝部に嵌合させて第１蝶番本体７ｂの基端を保持部材８の保持爪８ａ，８ａに係止させるとともに、係止爪８ｂ、８ｂを爪穴７ｄに係止させ、且つＵ字状切欠８ｃに係合させた調整ネジ１０の前端を調整ネジ孔７ｅに螺合させて第１蝶番７を組み立てる。そしてこの第１蝶番７の基端部を筐体２の側壁３の段部４に形成された装着穴４ａに挿入し、ネジ孔８ｄ，８ｄに対し側壁３の内板３ｂを貫通して取付ネジ９，９で固定支持する。なお、この第１蝶番７は、調整ネジ１０を適宜回転すると保持部材８に対し第１蝶番本体７ｂの先端部が左右に揺動する。即ち調整ネジ１０を回転させると、第１蝶番７の先端部を筐体２の側壁３に対し左右方向に位置調整できる。
【００１６】
つぎに、四角形の前後動可能なリンク機構を構成する各アーム部材について説明する。まず、第１アーム１１は、細長の板状のアーム部材の基端に、第１蝶番７のピン穴７ｃとほぼ同径のピン穴１１ａと、先端にピン穴１１ｂとを設けた上下１対のアーム部材と、この上下１対のアーム部材を連結する垂直の連結板とを有してなる。更に詳しく説明すると、前記１対のアーム部材は、第１蝶番７の前記溝部内に装着可能な間隔に設定する。そして上記１対のアーム部材の筐体２の内方に面した端部同士を前記連結板により垂直に連結する。
【００１７】
つぎに、第２アーム１２は、第１アーム１１とほぼ等しい長さの直線部部とその直線部の先端に先端側が前方即ち扉５側に曲折する曲折部１２ｄを有する板状の上下１対の板状のアーム部材と、このアーム部材を連結する垂直の連結板とを有してなる。更に詳しく説明すると、前記各アーム部材には、直線部に、基端に第１蝶番７のピン穴７ｃとほぼ同径のピン穴１２ａと、基端から第１アーム１１の長さとほぼ等距離位置の中間部に第１アームのピン穴１１ｂとほぼ同径のピン穴１２ｂと、曲折部１２ｄの先端にピン穴１２ｃとをそれぞれ設ける。そしてこの１対のアーム部材は、第１蝶番７の上下端の外側に装着可能な間隔に設定して、先端曲折部１２ｄの筐体２の内方に面した端部同士を連結板により連結する。
【００１８】
つぎに、第３アーム１３は、第１蝶番７のピン穴７ｃ，７ｃの間隔よりも長い直線部と、該直線部の先端に外方即ち側板３側に向けほぼ直角に曲折する曲折部１３ｄとを有する上下１対の板状のアーム部材と、該アーム部材を連結する垂直の連結板とを有してなる。更に詳しく説明すると、前記アーム部材の直線部には、基端に第１アーム１１の先端ピン穴１１ｂとほぼ同径のピン穴１３ａと、ピン穴１３ａから第１蝶番７のピン穴７ｃ，７ｃの間隔とほぼ同距離の中間位置に第２アームのピン穴１２ｂとほぼ同径のピン穴１３ｂとをそれぞれ設け、且つ、曲折部１３ｄの先端にはピン穴１３ｃをそれぞれ設ける。この上下１対のアーム部材の上下の間隔は、第１アーム１１のアーム部材の上下方向外幅と第２アーム１２のアーム部材の上下内幅との間に各アーム部材がそれぞれ位置して、第１アーム、第２アームとの干渉が回避可能な関係に設定する。そして、この１対のアーム部材を連結する連結板により、前記アーム部材の直線部の筐体２の内方に面した側の端部同士と曲折部１３ｄの外側の端部同士をそれぞれ垂直に連結する。
【００１９】
つぎに、第２蝶番１８について説明する。第２蝶番本体１８ａは、扉５の厚さよりも若干薄い略矩形の板状部材の上下方向中央に一方の側面から他方の側面近傍に向けて形成された略矩形の切欠１９を有する部材である。この第２蝶番本体１８ａは、切欠１９を扉５の外側端５ｂに向けて、扉５の外側端５ｂの上下それぞれのコーナーにて前板５ａと折り返し部５ｅとに挟持させて折り返し部５ｃを貫通する取付ネジ２２で固定する。第２蝶番本体１８ａの取付ネジ２２用ネジ孔は、第２蝶番本体１８ａの水平の中心線に対し上下対称に設けられ、第２蝶番本体１８ａを扉５の外側端６ｂの上下コーナーのいずれにも取付可能にしてある。第２蝶番本体１８ａの切欠１９の上下端には、第２アーム１２の曲折部１２ｄの先端上下側面に接する対向水平面１９ａ，１９ａと、該水平面１９ａ，１９ａの切欠１９の開口端近傍に第３アーム１３の曲折部１３ｄの先端上下側面に接する水平の対向支持面２１ａ，２１ａとをそれぞれ設ける。更に、水平面１９ａには、第２アーム１２の先端のピン穴１２ｃに装着する案内ピン１６に係合して第２アーム１２を前方に引き出す略３字状のカム溝２０をそれぞれ設けて案内部を形成する。また、水平の対向支持面２１ａには第３アーム１３の曲折部１３ｄの先端のピン穴１３ｃに装着する支軸１７を支持するための垂直の軸穴２１ｂを備えた軸支持部２１を形成する。第２蝶番１８は以上の構成からなる。
【００２０】
なお、前記カム溝２０は、軸穴２１ｂを中心とする約９０°の第２円弧溝２０ｂと、扉５の前面側に中心を有し且つ一方の端が前記第２円弧溝に連なるとともに他端が第２蝶番本体１８ａの前端に開口する第１円弧溝２０ａとにより、扉５の前方側に向く略３字状に形成した案内溝である。一方、第２蝶番１８の軸支持部２１，２１の軸穴２１ｂ，２１ｂには、支軸１７を挿通して第３アーム１３の先端を支持面２１ａ，２１ａ間に回動可能に連結支持する。
【００２１】
つぎに、第１，第２，第３の各アーム１１，１２，１３と、第１蝶番７，第２蝶番１８との連結構造について説明する。まず第１蝶番７の先端部のピン穴７ｃ，７ｃに対し第１アーム１１の基端側ピン穴１１ａと第２アーム１２の基端側ピン穴１２ａとが一致するようにして、第１アーム１１は第１蝶番７の溝内に、第２アーム１２は第１蝶番７の溝の外に位置させてそれぞれ連結ピン１４，１４を装着して回動可能に連結支持する。つぎに、第１アーム１１の先端のピン穴１１ｂに対し第３アーム１３の基端のピン穴１３ａを、また、第２アームの中間のピン穴１２ｂに対し第３アーム１３の中間のピン穴１３ｂをそれぞれ一致させ、前記各ピン穴に連結ピン１５，１５を貫通装着し、互いのアーム同士が回転可能なように連結する。そして第３アームの先端のピン穴１３ｃを第２蝶番１８の軸支持部２１の軸穴２１ｂに一致させて支軸１７を装着する。これによって、第２蝶番１８が、支持面２１ａ，２１ａで第３アーム１３の先端と接触して支軸１７を中心として回動可能となる。
【００２２】
一方、第２アーム１２の先端のピン穴１２ｃに案内ピン１６を装着するとともに、第２アーム１２の上下端から突出した案内ピン１６の端部を、第２蝶番１８のカム溝２０のカム溝に沿って移動可能に第１円弧溝２０ａの溝開口端２０ｃから係合させる。そしてこの第２蝶番を前述のように扉５の外側端５ｂ上下コーナー部における折り返し部５ｃと前板５ａとの間で挟持して折り返し部５ｃを貫通する取付ネジ２２で固定する。
【００２３】
最後に、前述の様に筐体２の側壁３の段部４に形成された装着穴４ａに第１蝶番７の基端部を挿入して側壁３の内板３ｂを貫通する取付ネジ９，９で第１蝶番７を固定する。扉５の取り付けの際に、扉５が傾いたり扉５の外側端５ｂと筐体２の側壁３の段部４との隙間が広すぎたり或いは狭すぎたりした場合は、調整ネジ９を左右いずれかの方向に回転して第１蝶番７の先端部を左右に位置調整する。
【００２４】
以上の構成によって、扉５は第３アーム１３の先端の支軸１７を支点として回動が可能になる。扉５を開閉させると、扉５に固定された第２蝶番１８のカム溝２０に先端が係合する第２アーム１２の先端の案内ピン１６が、扉５の回動に伴い第１円弧溝２０ａに案内されて第２アーム１２を前方回動させる。この第２アーム１２の前方回動に伴い、第３アーム１３が前方に回動し、曲折部１３ｄの先端の支軸１７を前方且つ外側方の斜め前方に押し出す。つまり、扉５を開くとその開き角度に応じて扉５の外側端５ｂが斜め前方外側に押し出されるため、扉の外側端５ｂと筐体前端３ｃとの干渉が起こらないように扉５を９０°までの範囲を開閉操作できる。扉５を更に外方９０°の範囲を開閉する場合、第１，第２，第３のアーム１１，１２，１３は動かず、扉５は第３アーム１３の先端の支軸１７を中心に回動し、第２アーム１２の先端の案内ピン１６は第２円弧溝２０ｂと係合して扉５の回動を案内する。
【００２５】
つぎに、本発明の扉の蝶番機構の別の実施例について説明する。前述の第１蝶番７は、図６に示す別の第１蝶番７ａに代えてもよい。この図示の第１蝶番７ａの第１蝶番本体７ｆは、前述の第１蝶番７における保持部材８と調整ネジ１０を有していない。即ち、第１蝶番本体７ｆは、基部が長手方向の断面がコ字状の溝型部となり且つ先端部が前記溝型部の溝の両側壁部が前方に延出した形状である。そして第１蝶番７ａは、前記第１蝶番本体７ｆの先端部つまり前記溝型部の側壁の延出部にこれを貫通するピン穴７ｃ，７ｃを設けるとともに、前記溝型部の底板部にこれを貫通するネジ孔を設けて形成している。前記ネジ孔は、前述の蝶番機構６における保持部材８のネジ孔８ｄ，８ｄに相当する。従って、第１蝶番７ａは、筐体２の側壁３の前端３ｃに形成した装着穴４ａにその基部を挿入し、第１蝶番７ａの先端部を側壁３の前端３ｃの装着穴４ａから突出させた状態で、側壁３の内板を貫通して取付ネジ９，９を前記ネジ孔に装着し、側壁３の内部に基部を固定する。第１蝶番７ａの先端部のピン穴７ｃ，７ｃには、前述の蝶番機構６の実施例における説明と同様に、第１アーム１１と第２アーム１２のそれぞれの基端のピン穴１１ａ，１２ａを一致させ、連結ピン１４，１４を装着してそれぞれ回動可能に連結する。そしてこの第１蝶番７ａを有してなる蝶番蝶番機構６ａは、第１蝶番７ａを除く他の構成要素、つまり第１アーム１１，第２アーム１２，第３アーム１３、第２蝶番１８は全て前述の実施例の説明における第１アーム１１，第２アーム１２，第３アーム１３、第２蝶番１８と同形態の部材をも用いて同様の組み立て構成からなる。
【００２６】
図６における筐体２の側壁３の前端部３ｃには、前述の実施例の説明における段部４を設けず、扉５を閉めた際の扉５の外側端が筐体３の側壁の外板面とほぼ同じ位置になる様に設定している。本発明の家具等の扉の蝶番機構は、この図のように筐体の前端部に扉の外側端を覆う段部を設けない取付形態を採用してもよい。このような取付形態にすることにより、前述の実施例のような保持部材８が備わっていないことにより第１蝶番本体７ｆが簡単な構造で精密な製作精度を必要とせず、第１蝶番７ａの取付構造も簡単で筐体２への組み込みが容易で且つ安価に製作可能である。この蝶番機構６ａは、第１蝶番７ａを除く他の構成部材が前述の実施例の蝶番機構６と同じ構成で第１蝶番と第２蝶番とを連結するアームリンク機構の連結数が従来の蝶番機構よりも少なく、扉の遊びが少なく円滑に作動し、長期使用に伴う磨耗等が起こった場合でも狂いが少ない。従って、この第１蝶番７ａを用いてなる蝶番機構６ａは、軽量小型で比較的高い精度を要求されない廉価版の収納庫に採用するのに最適であると言える。
【００２７】
つぎに、図示は省略するが上記以外の本発明の変形実施形態についていくつかの例を以下に記載する。第２蝶番１８は、図示の形態に限らず、第２蝶番本体１８ａの代わりに、例えば、上記実施例の説明における切欠１９と同じ幅で且つ同じ奥行きの上下に水平側面を有する偏平のコ字状に成形した部材またはＬ字状の１対の対向部材を扉５の前板５ａの裏側に取付ネジまたは溶接で固定して対向する水平面を形成し、その上下の水平面には前述の略３字状のカム溝２０と同形状の案内溝またはスリットを形成するとともにその端部に前述の軸支持部２１と同様の軸支持部を備えた別形態の第２蝶番で構成してもよい。
【００２８】
また、同じく図示は省略するが、第１アーム１１、第２アーム１２、第３アーム１３についても、上下方向から見た形状が前述の説明とほぼ同様に形成された部材であればよく、前後側面の形状については前述の説明とは異なる形状であってもよい。図示の例では、各アームアーム１１，１２，１３は、それぞれ上下１対のアーム部材を連結板で連結した形態として説明しているが、例えば精密鋳造で一体成型してもよいし、或いはまた、厚みのある板材を用いて上下方向から見た平面形状を前述と同形状の各１本構成（または必要な部分は２本構成でもよい）のアーム部材として成型し、この各部材に前述の実施例における連結ピン穴１１ａ，１１ｂ，１２ａ，１２ｂ，１２ｃ，１３ａ，１３ｂ，１３ｃに相当するピン穴を上下貫通形成し、そのピン穴に対し嵌合隙間の少ない連結ピン１４，１５および案内ピン１６，支軸１７に相当するピンと支軸を前述と同様に装着して互いを連結するなど、適宜の形態で構成してよい。
【００２９】
また、第２アーム１２の先端の案内ピン１６は突起に代えてもよい。更に前記別形態の第２蝶番を採用する場合には、第２アームの先端曲折部を水平面の上下外側面にそれぞれ接しさせ、該水平面の外側面に略３字状カム溝またはスリットを形成し、そのカム溝またはスリットに係合して第２アームが案内されて回動する構成にしても本発明を実施可能である。
【００３０】
【発明の効果】
以上にしてなる請求項１に係る発明の家具等の扉の蝶番機構は、筐体の側壁前端近傍に固定した第１蝶番の先端部に、第１アームおよび該第１アームよりも長く且つ先端が水平前方に向けて曲折する第２アームの基端をそれぞれ水平回動可能に支持し、該第１アーム先端と第２アームの中間とに、先端が水平外方に向けて曲折する第３アームの基端側をそれぞれ回転可能に連結して、第１蝶番を固定辺とする四辺形の前方に第２，第３アームの先端部が突出して前後動するリンク機構を形成する一方、扉の内側に水平の端面を有する第２蝶番を固定し、該第２蝶番の水平の端面に２個の連続する円弧溝からなる扉前方に向く略３字状のカム溝と、該カム溝の扉の外側端側の前方に垂直の軸穴とを形成し、第２アームの曲折部先端をカム溝に係合させ、且つ、第３アームの曲折部先端を軸穴に回転可能に軸支持させて構成したので、扉を開く動作に伴い第２蝶番のカム溝が第２アームの先端をカム溝の第１円弧溝に沿って案内しつつ前方に引き出して前記平行四辺形のリンク機構の第３アームを前方に押し出し、これによって、扉を開くにつれて第２アームがカム溝に引かれて第３アームが前方移動して扉の支軸が同様に移動し、扉の外側端が筐体側壁の前端部から前方に押し出されつつ外側にも押され（即ち外側斜め前方に押し出され）、９０°まで開いた状態では扉の内面が筐体側壁の内側面とほぼ等しいかそれよりも外側に位置し、物の出し入れに邪魔にならない位置に扉を回避させることができるといった作用効果がある。そしてその状態から更に９０°扉を外側に開く場合、扉は、第３アーム先端と第２蝶番の軸穴とを係合させる支軸を回転中心として回動し、第２アーム先端が、カム溝の第２円弧溝に係合して扉の回動を案内しつつ扉を安定支持するといった作用効果がある。
【００３１】
請求項２に係る発明の家具等の扉の蝶番機構は、第２蝶番を、ほぼ矩形の板状部材の上下方向中間に、一方の側端から他方の側端近傍に向けてほぼ矩形の切欠を設け、該切欠の上下端縁には、前記第２アーム先端の上下側面にそれぞれ接する水平面と、該水平面に形成され板状部材の表面側に向く略３字状の前記カム溝と、前記切欠の開口端寄りの前記カム溝の前方に前記第３アーム先端の上下側端にそれぞれ接し且つ第３アーム先端を軸支持する垂直の軸穴を有する軸支持部とを備えた一体構造の部材で形成したので、該第２蝶番は、切欠が扉の外側端に形成した開口窓に露出するように扉の前板と裏面との間に、簡単に取り付けて固定でき、しかも複雑な形状の第２蝶番を樹脂材の押し出し成型または精密鋳造などでも簡単に製作することが可能で、且つ上下の蝶番機構の各部材をそれぞれ共通にすることができ、金型や工具の必要製作数が少なく、従って低価格で製造できる等の作用効果がある。
【００３２】
請求項３に係る発明の家具等の扉の蝶番機構は、第１蝶番の基端部を筐体
側壁内にて前後と上下方向を拘束して保持するとともに中間に調整ネジを螺合させ、該調整ネジの回転で側板と直交方向に第１蝶番の先端位置を調整可能に構成したので、上記の請求項１の発明に係る蝶番機構の作用効果に加え、扉を取り付ける際の調整および長期使用で建て付けに狂いが生じた際の修正が、扉を取り付けた状態で調整ネジの回転操作だけで簡単且つ短時間で行え、しかも扉や筐体側壁を損傷することがないといった作用効果がある。
【００３３】
請求項４に係る発明の家具等の扉の蝶番機構は、筐体の側壁は、内壁面を段状に拡幅した段部を前端に設け、第１蝶番は、基端側を前記段部の奧の側壁内に収納して先端部が該段部の奧端から前方に突き出る様にして側壁内に固定し、前記第１蝶番の先端部と第２蝶番とを前記第１，第２，第３アームを介し連結し、第２蝶番を固定した扉が閉じた際に該扉が前記段部内に収まる関係に設定したので、扉の開閉時に扉の外側端と筐体側壁の前端部との間に互いの干渉を回避するのに必要な隙間以上の大きな隙間が生じることがなく、手や物を挟む危険がなく、また、扉を開いた状態で筐体の側方から見た際に、第１蝶番と第２蝶番とを連結するアームが筐体の前端開口を左右に拡幅する段部により隠されて大きく露出することがなく、意匠的美観が得られるといった作用効果がある。
【図面の簡単な説明】
【図１】本発明に係る蝶番機構を取り付ける収納庫の外観を示す図である。
【図２】本発明に係る蝶番機構を収納庫に取り付けた状態を中央で水平断面にして示す図で、（ａ）は扉が閉じ状態、（ｂ）は扉がやや開いた状態をそれぞれ示す。
【図３】図２の蝶番機構において、扉の開度に応じ各アームの動きの変化を示す状態図で、（ａ）は扉開度４５°、（ｂ）は扉開度９０°、（ｃ）は２点鎖線が扉開度１３５°、実線が扉開度１８０°における状態をそれぞれ示している。
【図４】図２の蝶番機構を、扉開度９０°にて筐体の内方から外側方に向いて見た状態を示す正面図である。
【図５】図２の蝶番機構の、各構成部材を展開して示す斜視図である。
【図６】本発明に係る蝶番機構の別の実施例を示す図である。
【符号の説明】
１  収納庫
２  筐体
３  側壁
３ａ  外板
３ｂ  内板
３ｃ  前端
４  段部
４ａ  装着穴
５  扉
５ａ  前板
５ｂ  外側端
５ｃ  折り返し部
５ｅ  開口窓
６，６ａ  蝶番機構
７，７ａ  第１蝶番
７ｂ，７ｆ  第１蝶番本体
７ｃ  ピン穴
７ｄ  爪孔
７ｅ  調整ネジ孔
８  保持部材
８ａ  保持爪
８ｂ  係止爪
８ｃ  Ｕ字状切欠
８ｄ  ネジ孔
９  取付ネジ
１０  調整ネジ
１０ａ  係止溝
１１  第１アーム
１１ａ，１１ｂ  ピン穴
１２  第２アーム
１２ａ，１２ｂ，１２ｃ  ピン穴
１２ｄ  曲折部
１３  第３アーム
１３ａ，１３ｂ，１３ｃ  ピン穴
１３ｄ  曲折部
１４，１５  連結ピン
１６  案内ピン
１７  支軸
１８  第２蝶番
１８ａ  第２蝶番本体
１９  切欠
１９ａ  水平面
２０  カム溝
２０ａ  第１円弧溝
２０ｂ  第２円弧溝
２０ｃ  溝開口端
２１  軸支持部
２１ａ  支持面
２１ｂ  軸穴
２２  取付ネジ
【図１】
0003702884.tif 000002
【図２】
0003702884.tif 000003
【図３】
0003702884.tif 000004
【図４】
0003702884.tif 000005
【図５】
0003702884.tif 000006
【図６】
0003702884.tif 000007